(57)【要約】【課題】ウェブページにおけるインジケーターを用いた情報表示及び管理システムを提供する。【解決手段】本発明によるウェブページにおけるインジケーターを用いた情報表示及び管理システムは、ウェブページの特定のコンテンツの位置に相当する座標値と連関付けされて特定のコンテンツ表面上に表示されるものであって、特定のコンテンツの内容を分類及び敷衍説明するインジケーターと、当該ウェブページの特定のコンテンツの面積を予測するブロック設定部と、前記ブロック設定部により予測された特定のコンテンツがウェブページにおいて有する座標値を把握する座標設定部と、前記インジケーターに収録される情報を入力する入力部と、前記座標設定部の座標値と前記当該ウェブページのＵＲＬ及び前記入力部による入力情報を記憶する記憶部と、前記記憶部により記憶された情報に基づいて前記インジケーターを当該ウェブページの特定のコンテンツに出力する出力部と、を備えて前記インジケーターを生成するインジケーター生成モジュールと、前記記憶部により前記システムサーバーに記憶されるが、特定の分類により集合を形成しているインジケーターデータベースと、を備えることを特徴とする。  本発明のシステムによれば、ウェブページの数多くのコンテンツのうち自分が要望する特定のコンテンツの周りにインジケーターを介してメモなどを行うことが可能であるだけではなく、このインジケーターをウェブページＵＲＬと共に記憶して、これをいつでも呼出可能であるという情報検索及び管理の便宜性を提供する効果を有する。【選択図】図２
2010507167.tif 000002
【特許請求の範囲】
【請求項１】
クライアントサーバーとシステムサーバーとを備えて、ウェブページにおいてインジケーターを用いて情報を表示するシステムであって、
ウェブページの特定のコンテンツの位置に相当する座標値と連関付けされて特定のコンテンツ表面上に表示されるものであって、特定のコンテンツの内容を分類及び敷衍説明するインジケーターと、
当該ウェブページの特定のコンテンツの面積を予測するブロック設定部と、前記ブロック設定部により予測された特定のコンテンツがウェブページにおいて有する座標値を把握する座標設定部と、前記インジケーターに収録される情報を入力する入力部と、前記座標設定部の座標値と前記当該ウェブページのＵＲＬ及び前記入力部による入力情報を記憶する記憶部と、前記記憶部により記憶された情報に基づいて前記インジケーターを当該ウェブページの特定のコンテンツに出力する出力部と、を備えて前記インジケーターを生成するインジケーター生成モジュールと、
前記記憶部により前記システムサーバーに記憶されるが、特定の分類により集合を形成しているインジケーターデータベースと、
を備えることを特徴とする、ウェブページにおけるインジケーターを用いた情報表示システム。
【請求項２】
前記インジケーターは、
当該ウェブページの特定のコンテンツ情報に関連するタイトルを構成する分類子と、
当該ウェブページを探索する経路や検索語を示す検索語表示子と、
当該ウェブページのメモ、敷衍説明及び情報としての価値のうちいずれか一つの内容が収録された情報表示子と、
当該ウェブページの特定のコンテンツのカテゴリーを設定するカテゴリー表示子と、
関連ファイルを添付し、添付されたファイルを前記システムサーバーに伝送及び呼出するようにするファイル添付子と、
を備えることを特徴とする、請求項１に記載のウェブページにおけるインジケーターを用いた情報表示システム。
【請求項３】
前記クライアントサーバー及び前記システムサーバーを連動させて、前記システムサーバーに接続している多数のユーザーに前記インジケーターデータベースを共有させる情報共有モジュールをさらに備えることを特徴とする、請求項１に記載のウェブページにおけるインジケーターを用いた情報表示システム。
【請求項４】
前記インジケーターをマルチレベルに構成して重なり合い及び最上位層順序調節機能を行うマルチレベル生成モジュールをさらに備えることを特徴とする、請求項１に記載のウェブページにおけるインジケーターを用いた情報表示システム。
【請求項５】
前記マルチレベル生成モジュールにより積層処理された前記インジケーターをユーザー好みによる分類方式により選定した積層順序にて特定のユーザーにディスプレイするプライオリティ選定モジュールをさらに備えることを特徴とする、請求項４に記載のウェブページにおけるインジケーターを用いた情報表示システム。
【請求項６】
前記マルチレベル生成モジュールにより積層処理された前記インジケーターが所定の回数だけ積層される度に、前記インジケーターの色合いを変色処理する積層回数管理モジュールをさらに備えることを特徴とする、請求項３に記載のウェブページにおけるインジケーターを用いた情報表示システム。
【請求項７】
前記マルチレベル生成モジュールにより積層処理された前記インジケーターが所定の時間の経過後にもさらなる積層回数が発生しないときに、所定の時間別に前記インジケーターがかすかになるように処理する生成時間管理モジュールをさらに備えることを特徴とする、請求項３に記載のウェブページにおけるインジケーターを用いた情報表示システム。
【請求項８】
前記情報共有モジュールにより他のユーザーが前記インジケーターを確認するとき、前記インジケーターの価値に対する推薦回数やエラー指摘を他のユーザーが入力可能な評価ウィンドウを備えて前記インジケーターの情報価値を評価処理する評価モジュールをさらに備えることを特徴とする、請求項１または３に記載のウェブページにおけるインジケーターを用いた情報表示システム。
【請求項９】
前記インジケーターの前記分類子と連関付けされた単語を検索する検索エンジンと、前記検索エンジンと関連付けされた広告情報を収録した広告データベースと、前記広告データベースを前記インジケーターに表示する表示部からなる広告表示モジュールと、をさらに備えることを特徴とする、請求項１または２に記載のウェブページにおけるインジケーターを用いた情報表示システム。
【発明の詳細な説明】
【技術分野】
【０００１】
本発明はウェブページにおけるインジケーターを用いた情報表示及び管理システムに係り、さらに詳しくは、１枚のウェブページ内において複数の情報が一緒にモニターを介して出力されるとき、それらのうち自分が要望する重要な特定の情報をブロック処理してこれをインジケーターとして実現するようにして他の情報と差別化されるように表示を行い、さらに、複数のユーザーが前記特定の情報に複数のインジケーターを積層生成することができるだけではなく、複数のユーザーにより生成されたインジケーター及びインジケーターの生成された複数のウェブページをデータベース処理すると共に、プライオリティを設定する方式などによりウェブページの特定の情報を選別整理及び便利に分類／管理することのできるシステムに関する。
【背景技術】
【０００２】
現代社会におけるインターネットの急速な発達には目を見張るものがあり、これに伴い、過去には新聞や図書の閲覧によってしか取得できなかった各種の情報をより手軽に且つ便利に検索及び取得することが可能になった。
すなわち、種々の知識情報や特定のコンテンツを検索可能な種々の検索エンジンが搭載されているウェブページにより、ユーザーは、コンピューターのキーボードを介して特定の検索語を入力することにより、特定の情報が収録されているウェブページを容易に得られる方式が広く活用されているのが現状である。
現在、インターネットを用いた情報検索分野において、様々な検索エンジンの発達、例えば、自動語完成機能及び類似単語による連関単語検索などの便利な機能が続出されており、各種の有名なポータルサイトにおいてユーザーの便利な情報検索に一助するのに一翼を担当している。
ところが、一般的なインターネット検索エンジンは、主として、ターゲット検索を特定の単語に制限して検索を行うため、必ず当該単語を含む表面的で且つ断片的な情報のみを検索してくれる役割しか果たすことができず、一般の専門図書のようにある特定の概念に関する情報を検索しようとするとき、より体系的で且つ具体的に当該概念についての分類及び具体的な説明を行う機能までは提供していないのが現状である。すなわち、例えば、「特許」という単語を検索するとき、直接的に特許という単語を含む「特許庁」、「特許事務所」、「特許の手続き」などの単語を標榜しているウェブページを検索してくれる役割は充実に行うことができるかもしれないが、より深度のある情報、例えば、特許をはじめとする知的財産権と一般的な所有権との関係、特許紛争の論理と紛争の事例など特許という意味からさらに拡張された情報を希望する情報は検索することが困難であるという問題点があり、また、特許という単語において、特許の歴史、各国の特許制度、特許の種類などカテゴリーによって情報がグループ分けされるが、もし、ユーザーが特定の分野の情報を検索するためには限りなく検索される「特許」を含むウェブページを一々に調べてみて関連情報を検索しなければならず、かなり不便であった。
この理由は、上述したように、現在の検索エンジンが全般的な内容中心の検索を行うことができず、特定の単語の包含有無中心の検索を行うことに起因するが、全般的な内容中心に情報を検索するためには検索エンジンそのものが情報の内容を分析可能な能力を有していなければならず、たとえいかに発展された知能型検索エンジンであるとしても、ウェブページのコンテンツ内容を分析可能な検索機能を正常に提供することは困難であると考えられる。
すなわち、情報というのは、人間の主観的な価値観や経験と連関付けされて相対的な価値を有するものも相当ありうるため（例えば、新聞記事や論説文、個人の意見や経験を披瀝したコンテンツなど）、機械的に情報を検索したときには、自分の主観と合わないか、客観的にも正確な情報を提供することができなくなって、ある程度は多数人の意見を収録して情報の検証やプライオリティを設定する作業を先行する必要がある。
特定の情報に多数人の意見を収録することは、既に存在している「コメント」をもってある程度その目的を達成することもできるが、現在のコメント文化を調べてみると、匿名性を前提として悪意のある内容が主流をなすか、または、深度のない場合が多く、情報としての客観的な価値を付与する役割を果たすには力不足であった。
また、現在、ウェブ上にはそれぞれの分野についてのあまりにも多いウェブページが存在しているため、特定の情報を詳細に知るために一々に全てのウェブページを検索して情報を得ることもまたかなりの不便さを甘受しなければならず、特定のウェブページをお気に入りに追加して自分が希望する情報のみを確認するとしても、あるウェブページに収録されている内容が多い場合、例えば、Ａ４分量１０ページに達するウェブページのうちターゲット情報の内容は４ページの第２段落に存在する場合には、どの部分が自分が希望する内容であるかを迅速に識別することが困難であるだけではなく、お気に入りに収録されているウェブページが多い場合にはそれぞれのウェブページの重要順位が混同されて円滑な管理が行えざるを得ない。
現在の２１世紀の社会は情報の洪水といわれ、我々はこの情報の洪水の中で生きているため、公知の検索エンジンのように特定の情報が存在しているか、あるいは、いかに多く存在しているかを調べてみることはさておいて、特定の情報を扱うウェブページは既に多いという前提下に、特定の情報を一層早く且つ正確に検索して実質的に役に立つ情報を識別することと、これらの実質的な情報を収録しているウェブページをグループ別に管理することが重要な鍵となっている。このために、数多くのウェブページのうち自分が必要とする情報のみに重要表示を付け、これを体系的にソートし、さらには、これらを多数の人々と共有することにより、検証を受けたりプライオリティを設定したりすることが可能であれば、より差別化し、且つ、情報使用の観点から実質的に役立つインターネット情報検索／管理分野の新たなパラダイムを創出することができると考えられる。
【発明の概要】
【発明が解決しようとする課題】
【０００３】
本発明は上記の問題点を克服するためになされたものであり、その目的は、既に検索された２次順位の情報、すなわち、特定のウェブページに概略的に収録されているということを確認完了した情報をユーザーの特性及び客観的な分類基準をもってより細かく且つ詳しく検索すると共に、これを特別に管理する必要がある１次順位情報にしたいとき、ウェブブラウザーの座標値を活用してウェブページに特定の表示子、すなわち、インジケーターを生成して別途にウェブページを管理することのできるシステムを提供するところにある。
本発明の他の目的は、インジケーターの表示されたウェブページにおいてインジケーターの分類子と関連する単語に対する広告機能を行うようにするところにある。
本発明のさらに他の目的は、特定のユーザーが管理したインジケーターをデータベース化して他のユーザーと互いに共有することにより、情報検索及び管理の利便性を高めるところにある。
本発明のさらに他の目的は、特定のユーザーが生成したインジケーターに他のユーザーが生成したインジケーターをマルチレベルに積層処理することにより、複数のユーザーの様々な評価や管理分類などを確認可能な便宜性を提供するところにある。
本発明のさらに他の目的は、複数に積層されているインジケーターの回数及び所定の時間に亘っての積層数を測定して、これによりインジケーターの色合いの変化または消滅処理を行うことにより、インジケーターが有する客観的で且つ普遍的な情報としての価値を容易に評価できるようにするところにある。
本発明のさらに他の目的は、他のユーザーが管理したインジケーターデータベースを自分のユーザーの好みに合うように再編成することにより、情報の体系的な管理を行うようにするところにある。
【課題を解決するための手段】
【０００４】
上記の目的を達成するために、本発明によるウェブページにおけるインジケーターを用いた情報表示及び管理システムは、クライアントサーバーとシステムサーバーとを備えて、ウェブページにおいてインジケーターを用いて情報を表示するシステムであって、ウェブページの特定のコンテンツの位置に相当する座標値と連関付けされて特定のコンテンツ表面上に表示されるものであって、特定のコンテンツの内容を分類及び敷衍説明するインジケーターと、当該ウェブページの特定のコンテンツの面積を予測するブロック設定部と、前記ブロック設定部により予測された特定のコンテンツがウェブページにおいて有する座標値を把握する座標設定部と、前記インジケーターに収録される情報を入力する入力部と、前記座標設定部の座標値と前記当該ウェブページのＵＲＬ及び前記入力部による入力情報を記憶する記憶部と、前記記憶部により記憶された情報に基づいて前記インジケーターを当該ウェブページの特定のコンテンツに出力する出力部と、を備えて前記インジケーターを生成するインジケーター生成モジュールと、前記記憶部により前記システムサーバーに記憶されるが、特定の分類により集合を形成しているインジケーターデータベースと、を備えることを特徴とする。
また、前記インジケーターは、当該ウェブページの特定のコンテンツ情報に関連するタイトルを構成する分類子と、当該ウェブページを探索する経路や検索語を示す検索語表示子と、当該ウェブページのメモ、敷衍説明及び情報としての価値のうちいずれか一つの内容が収録された情報表示子と、当該ウェブページの特定のコンテンツのカテゴリーを設定するカテゴリー表示子と、関連ファイルを添付し、添付されたファイルを前記システムサーバーに伝送及び呼出するようにするファイル添付子と、を備えることを特徴とする。
【発明の効果】
【０００５】
本発明によるウェブページにおけるインジケーターを用いた情報表示システムによれば、下記の効果が得られる。
先ず、第一に、ウェブページの数多くのコンテンツのうち自分が要望する特定のコンテンツの周りにインジケーターを介してメモなどを行うことが可能であると共に、このようなインジケーターをウェブページＵＲＬと一緒に記憶してこれをいつでも呼出可能にすることにより、情報の体系的な分類及び情報検索の迅速化、情報の深みを追求することができる。
第二に、インジケーターをデータベース化すると共に、これをリアルタイムにて他のユーザーと互いに共有させることにより、不便で且つ煩雑な単純反復確認方式の情報検索作業を代替することができる。
第三に、インジケーターに対する複数のユーザーの評価及び他のユーザーのインジケーターの生々しい積層処理を行うことにより、ユーザーの全体的な情報に対する関心度を高めることができ、他のユーザーの様々な価値及び反対意見を確認することができる。
第四に、インジケーターの積層回数や積層回数による時間変化量を測定してより生動感いっぱいに情報の価値を管理評価することができる。
第五に、インジケーターデータベースを自分の好みに合うように編集及び再編成することにより、個人の好みによる情報の重要度及び分類状態を容易に確認することができる。
最後に、インジケーターに広告を表示することにより、システム運営者の収益創出はもとより、広告そのものを別の情報として認識させることができる。
【図面の簡単な説明】
【０００６】
【図１】本発明によるシステムの概略的な構成関係を示す概念図である。
【図２】本発明によるシステムの具体的な構成を示すブロック図である。
【図３】本発明によるシステムをサーバー中心に示すブロック図である。
【図４】本発明によるインジケーターの概念を示す例示図である。
【図５】本発明によるインジケーターがウェブページに表示された状態を示す例示図である。
【図６】本発明によるインジケーターがウェブページに生成及び表示される過程を示すフローチャートである。
【図７】発明によるインジケーターデータベースが１枚のウェブページとして実現された状態を示す例示図である。
【図８】本発明による情報共有モジュールを介してユーザーがログインする状態を示す例示図である。
【図９】本発明によるマルチレベル生成モジュールを用いてインジケーターが積層される状態を示す例示図である。
【図１０】本発明による広告表示モジュールを介してインジケーターに広告を表示した状態を示す例示図である。
【発明を実施するための形態】
【０００７】
以下、添付図面に基づき、本発明の好適な実施形態を詳述する。添付図面は縮尺により図示されておらず、各図面における同じ参照番号は同じ構成要素を指し示す。
図１は、本発明によるインジケーターを用いた情報表示及び管理システム１０の概略的な構成関係を示す概念図である。
本発明によるインジケーターを用いた情報表示及び管理システム１０は、インジケーター１００というユニークな構成をウェブページ４０のコンテンツに自由自在に貼り付け、このようなインジケーター１００が貼り付けられるウェブページ４０を別途に、すなわち、ウェブサイト５０、ウェブ文書、ファイルなどとして記憶及び分類すると共に、このようなインジケーター１００を生成する主体であるクライアントサーバー２０と生成過程を補助しながら管理する機能を行うシステムサーバー３０を備えて、これらの各サーバー２０、３０が互いにウェブサイト５０や有無線通信を介してリアルタイムにて接続されてインジケーター１００を共有するようにすることにより、自分をはじめとする他のユーザーの特化した情報を有用に活用できるようにすることを基本的な特性としている。
図２は、本発明によるインジケーターを用いた情報表示及び管理システム１０の具体的な構成を示すブロック図であり、図３は、本発明によるインジケーターを用いた情報表示及び管理システム１０をサーバー中心に各構成包含関係を示すブロック図である。
図２を参照すると、本発明によるシステム１０は、クライアントサーバー２０及びシステムサーバー３０がリアルタイムにて連動されている状態において、ウェブページ４０に生成されるインジケーター１００、前記インジケーター１００を生成するインジケーター生成モジュール１５０、インジケーター１００が収録されているウェブページ４０のＵＲＬを一緒に記憶しているインジケーターデータベース１４０、前記インジケーターデータベース１４０を共有できるようにする情報共有モジュール２１０、インジケーター１００が表示されたウェブページ４０の位置に複数のインジケーター１００を貼り付けることにより、それぞれ積層処理できるようにするマルチレベル生成モジュール１６０、自分の特色に合うように前記マルチレベル生成モジュール１６０のインジケーター１００の積層位置を調節及び記憶できるようにするプライオリティ選定モジュール１７０、積層されているインジケーター１００の回数を測定及び分析管理する積層回数管理モジュール１８０、積層されたインジケーター１００の数が所定数以下に持続される場合に当該時間を測定管理する生成時間管理モジュール１９０、前記インジケーター１００の分類子１１０を介して連関する広告をディスプレイする広告表示モジュール２００を備え、また、クライアントサーバー２０において実現されるツール手段として、メッセージイベント６１、デスクバンド６２、ハンドラー６３を有するツールバー６０を備えている。
また、図３から明らかなように、主としてユーザー中心に運営・管理されるクライアントサーバー２０は、インジケーター生成モジュール１５０、マルチレベル生成モジュール１６０、プライオリティ選定モジュール１７０、ツールバー６０を備えており、インジケーター１００を総合的に運営及び管理したり、ウェブサイト５０と連動関係を構築するシステムサーバー３０は、前記クライアントサーバー２０のインジケーター生成モジュール１５０のうち特に記憶部１５４を備えた状態において、インジケーターデータベース１４０、積層回数管理モジュール１８０、生成時間管理モジュール１９０、広告表示モジュール２００、情報共有モジュール２１０を備えている。
但し、このような本発明によるシステム１０のそれぞれの構成は、どのサーバーに存在しているかが重要なのではなく、各クライアントサーバー２０とシステムサーバー３０における各構成の連動関係及び特殊機能の有無が重要視されて説明される必要があるが、このような各構成の細部的な機能及び作用を説明すると、下記の通りである。
本発明におけるインジケーター１００とは、ウェブページ４０に収録されている文書、図柄、動画などに相当する部分に表示されるものを言い、まるで一般ノートや文書に貼り付けるメモ紙、例えば、３Ｍ社の商標名ポストイットのような機能を行うウェブ上におけるオンラインメモ紙であると表現することができる。
具体的に、インジケーター１００は、所定のサイズを有するブロック空間が与えられてこの空間内に当該ウェブページ４０の内容に対する評価及び敷衍説明、メモなどを行うことができ、必要に応じて、当該インジケーター１００を読み出すと、インジケーター１００を表示した状態でウェブページが活性化されるのである。
図４は、本発明によるインジケーター１００の概念を示す例示図であり、図５は、本発明によるインジケーター１００がウェブページ４０の一部位に表示された状態を示す例示図である。
図４から明らかなように、インジケーター１００は、当該ウェブページ４０の内容に対するタイトルを示す分類子１１０、当該ウェブページ４０を検索する経路や検索語を示す検索語表示子１２１、当該ウェブページのメモ／敷衍説明／情報としての価値などを表示できる実質的な内容が収録されている情報表示子１２２、当該情報のカテゴリーを設定するカテゴリー表示子１２３、関連ファイルを添付し、添付されたファイルをシステムサーバー３０に伝送及び呼出するようにするファイル添付子１２５、情報表示子１２２に記録した情報や当該ウェブページのＵＲＬなどの出処を表示する出処表示子１２４を基本的に備えている。
このようなインジケーター１００は、クライアントサーバー２０に設けられているツールバー６０によりユーザーの特性に応じて生成可能であるが、より具体的なインジケーター１００の生成及び記憶は、ツールバー６０の補助機能と共にインジケーター生成モジュール１５０に主な機能により行われる。
図２及び図３を参照すると、インジケーター生成モジュール１５０は、クライアントサーバー２０とシステムサーバー３０のそれぞれに備えられてインジケーター１００を生成及び記憶する核心的な機能を行い、具体的には、ブロック設定部１５１、座標設定部１５２、入力部１５３、記憶部１５４、出力部１５５、形態変更部１５６を備えている。
先ず、ブロック設定部１５１は、当該ウェブページ４０においてインジケーター１００を生成しようとする位置を指定及び選択して、概略的なインジケーター１００の形状が収録されるウェブページ４０の部位、すなわち、面積を予測するものである。インジケーター１００の形状は、一般メモ紙のように方形をはじめとして、台形、円／楕円形状などに多様化可能である。
座標設定部１５２は、前記ブロック設定部１５１において設定された部分に相当するウェブページ４０の部位の座標値を読み込んでこれを数値化するものであって、一般的に、全てのウェブページ４０は、出力されるモニターの形状とは無関係に一定の座標値を有していて、このような座標情報に基づいてそれぞれのコンテンツを収録することになるが、既にウェブページ４０に存在している座標情報を前記ブロック設定部１５１において設定した位置によって計算し、このような座標値を基にインジケーター１００を特定のウェブページ４０の位置に記憶する準備をするようにする。
すなわち、このような座標設定部１５２によるインジケーター１００の表示機能によりウェブページ４０がユーザー画面のサイズによって異に表示されるとしても、定位置を把握して当該部分に正確にインジケーター１００を表示することが可能である。
入力部１５３は、インジケーター１００の内容、すなわち、上述した分類子１１０と表示子１２０を記録する役割を果たすものであって、ツールバー６０のメッセージイベント６１に一助されて具体的な内容を書き込むことが可能である。
記憶部１５４は、前記座標設定部１５２において取得された座標情報及び当該ウェブページ４０のＵＲＬ、前記入力部１５３に入力された内容を記憶して後述するインジケーターデータベース１４０を構築する前段階の役割を果たす。記憶部１５４において記憶された情報は、一応クライアントサーバー２０に設けられたメモリーを介して一時記憶をした後、システムサーバー３０に伝送したり直接的にシステムサーバー３０に伝送することができる。システムサーバー３０において記憶された情報は、今後、クライアントサーバー２０においてインジケーター１００を呼び出す場合、クライアントサーバー２０に伝送されることができ、情報の体系的な集合体として実現されたインジケーターデータベース１４０が伝送されることもできる。
また、記憶部１５４のセキュリティーを簡略に調べてみると、一般的に、ウェブページ４０を実現する文書及びその他コンテンツはＨＴＭＬ文書により作成されるが、このようなインジケーター１００をはじめとする複数のＨＴＭＬ文書を作成するとき、主としてジャバスクリプト言語を使用すると、そのソースがそのまま外部に露出される恐れがあり、保安的に脆弱性を有するため、他社において容易にインジケーター１００の機能を模倣する恐れがあるという点に鑑みて、記憶部１５４を実行ファイルであるＤＬＬファイルとして作成することができ、インジケーター１００に対するソース流出を未然に防止することができ、その処理速度においても長所を有するという付随的な機能も備える。
また、記憶部１５４に記憶されるとき、インジケーター１００のアウトラインや内部の基本的な色合いはユーザーの好みによって様々に表現可能であり、もし、インジケーター１００がウェブページ４０のターゲットとなるコンテンツを覆うように構成されると、インジケーター１００によりその下のコンテンツ内容が隠れてしまうため、最初からインジケーター１００そのものを半透明に構成することも可能である。
出力部１５５は、前記記憶部１５４に記憶された情報をインジケーター１００が呼び出すとき、クライアントサーバー２０に伝送してクライアントサーバー２０と連動されているモニターを介してウェブページ４０とここに表示されたインジケーター１００を同時にディスプレイする機能を行う。ユーザーは、インジケーター１００の内容情報、例えば、インジケーター１００の分類子１１０を検索して呼び出したり、当該ウェブページ４０のＵＲＬを呼び出す方式により前記インジケーター１００が収録されているウェブページ４０を生成及び出力することができる。
形態変更部１５６は、インジケーター１００の位置を調整するときに用いられるものであって、インジケーター１００そのものの移動機能を提供し、変更された座標値を座標設定部１５２に伝送することにより、新たな座標値に位置を再設定してサイズを拡大または縮小することができる。
ツールバー６０は、クライアントサーバー２０のデスクトップに設けられてユーザー中心に運営されるものであって、前記インジケーター生成モジュール１５０のインジケーター１００の生成機能を補助する役割と、システムサーバー３０との連動関係を保証して他のユーザーにインジケーター１００を共有させる役割を果たし、詳細には、メッセージイベント６１、デスクバンド６２、ハンドラー６３を備えている。
具体的に、メッセージイベント６１は、ユーザーにより用いられるツール手段であって、前記インジケーター生成モジュール１５０にインジケーター１００の生成信号による指令及び信号を発生してこれを伝送、呼出する手段である。具体的に、インジケーター生成モジュール１５０のブロック設定機能、座標測定機能、入力機能などを円滑に行うように、クライアントサーバー２０のユーザーが信号を発生してシステムサーバー３０に伝送する媒介体的な役割を果たす。
デスクバンド６２は、デスクトップとタスクバーの上に位置するオブジェクトであって、クライアントサーバー２０が起動されると同時に各構成モジュールが実行されるようにオン状態を維持することによりリアルタイムにてシステムサーバー３０と連動できるように構成されており、また、システムサーバー３０において運営するウェブサイト５０とも情報共有モジュール２１０を介してリアルタイム連動を行わせる。
ハンドラー６３は、後述するマルチレベル生成モジュール１６０及びプライオリティ選定モジュール１７０においてそれぞれのインジケーター１００の積層位置や最上位露出位置を変更するときに用いられるツール手段である。
図６は、本発明によるインジケーター１００がウェブページ４０に生成及び表示される過程を示すフローチャートである。
図６から明らかなように、クライアントサーバー２０のユーザーは、様々なウェブブラウザーを検索していて、自分が所望する情報を検索した場合、メッセージイベント６１をチェック若しくは別途入力する方式などにより検索されたウェブサイトを確認するようにする。メッセージイベント６１は、ウェブサイトの特定のウェブページ４０の状態アドレス、ダウンロード状態、コンテンツ内容などを確認及びサーチ（厳密には、キャッチ）し、このようにして選定されたウェブページ４０のコンテンツ選定状態及びブロックが行われる部位をインジケーター生成モジュール１５０のブロック設定部１５１と連動して予測する。
ブロック設定部１５１により予測された特定のコンテンツ部位は、座標設定部１５２により当該ウェブページ４０のブロック部位に対する座標値を読み込んで認識及び測定され、記憶部１５４に測定された座標値を伝送して記憶する。
その後、ユーザーは、インジケーター１００の分類子１１０、表示子１２０に相当する内容を入力部１５３やメッセージイベント６１から提供する別途の表示ウィンドウに入力していて、同様に記憶部１５４に伝送して記憶をし、記憶部１５４は、当該ウェブページ４０のＵＲＬを把握して前記記憶された座標値及び内容と共にインジケーターデータベース１４０を生成し、このようにして生成されたインジケーター１００は出力部１５５により出力される。
このとき、デスクバンド６２は、クライアントサーバー２０が起動されると同時に活性化されて後述する情報共有モジュール２１０を介して前記インジケーターデータベース１４０をシステムサーバー３０が運営するウェブサイト５０にアップロードしたり、他のユーザーと共有できるように準備をする。
図２及び図３に戻ると、本発明によるインジケーターデータベース１４０は、前記インジケーター生成モジュール１５０の記憶部１５４と連動されて記憶部１５４に記憶された情報をそれぞれの目的及び分類記号によって細分化して、各インジケーター１００において表示する内容同士の分類やウェブページ４０における特定の内容同士の分類などの分類機能を兼ね備えることにより、各目的別にインジケーター１００のグループをデータ処理する。
例えば、「写真」に関する大分類を有するインジケーターデータベース１４０は、それぞれの写真士の作品、写真の理解、写真を上手に撮る方法、写真機の種類及び特性などの中分類にグループ分け処理することができ、これらのグループはさらにそれぞれの内容によって小分類されてシステムサーバー３０に記憶されて自分が必要とするときにはいつでも呼出して当該ウェブページ４０と一緒に表示することができ、このような特定の目的によるインジケーターデータベース１４０は、まるで「写真」と関連する専門柵子のように、オンラインが提供されるウェブ上の環境において活用することが可能になる。
このようなインジケーターデータベース１４０は、一覧処理されて別途のウェブページやオンライン文書、別途のファイルとして記憶され、それぞれのインジケーター１００一覧ごとにハイパーリンクを付与することにより、ユーザーのクリックにより直ちに当該ウェブページ４０に移動できるように備えられることが可能である。好ましくは、保安上の理由から、ＤＬＬファイルとして暗号保存をして、当該インジケーターデータベース１４０を確認する資格を付与されたユーザーに限って読み込ませることも可能である。
図７は、本発明によるインジケーターデータベース１４０が１枚のウェブページとして実現された状態を示す例示図である。
図７から明らかなように、インジケーターデータベース１４０は、上述したように、別途のウェブページとして実現されてユーザーがお気に入りに設定することにより、検索し易いように実現可能であることはもちろん、特定の目的により一覧処理され、ハイパーリンクを設定して一覧の項目をユーザーがマウスでクリックすると直ちにインジケーター１００が表示された関連ウェブページに移動できるようにする。
図２及び図３に戻ると、本発明による情報共有モジュール２１０は、第１のユーザーがグループ化したインジケーターデータベース１４０をシステムサーバー３０と連動されている他の第２及び第３などのユーザーのクライアントサーバー２０やシステムサーバー３０において運営するウェブサイト５０に伝送してインジケーターデータベース１４０を共有できるようにする機能を行う。
具体的には、システムサーバー３０に記憶されているインジケーターデータベース１４０がシステムサーバー３０において運営する独立したウェブサイト５０を介してアップロードされることができ、もし、第２及び第３などのユーザーが第１のユーザーのこのようなインジケーターデータベース１４０を取ろうとするとき、クライアントサーバー２０のツールバー６０に設けられたデスクバンド６２の連動アイコンをクリックすると、第２及び第３などのユーザーのクライアントサーバー２０においてもこのようなインジケーターデータベース１４０が伝送されて第２及び第３などのユーザーが当該ウェブページ４０をモニターの上に表示すると、ここに表示されたインジケーター１００が一緒に表示されるようにする。また、デスクバンド６２の活性化によってリアルタイムにて他のユーザーのインジケーターデータベース１４０が連動されるようにすることも可能である。
図８は、本発明による情報共有モジュール２１０の起動のためにシステムサーバー３０にユーザーが接続する状態を示す例示図である。
図８を参照すると、情報共有モジュール２１０は、ツールバー６０のデスクバンド６２を介して提供される接続ウィンドウにログイン接続をしながら直ちに起動されるようにすることが可能であり、または、各種のウェブページ４０に対する分類及び情報などが網羅されて収録された、システムサーバー３０から提供するウェブサイト５０にログインを介して接続をする場合に直ちに連動されるようにすることが可能である。
システムサーバー３０は、ウェブサイト５０に接続をした会員の情報をユーザーデータベース７０として構築して管理する。
図２及び図３に戻ると、評価モジュール２２０は、クライアントサーバー２０のデスクバンド６２を介してインジケーター１００の情報を他のユーザーが評価できるようにする機能を付与したものであって、インジケーター１００の下部空欄を別途に設けて、当該インジケーター１００の情報としての価値を他のユーザーが評価できるように点数や推薦、エラー指摘などを表示できる評価ウィンドウを生成及び管理する役割を果たす。このとき、多数回の推薦を受けたインジケーター１００は他のインジケーター１００の基本色合いと差別化することにより、たとえ下位位置に位置するとしても、容易に識別できるようにすることが可能であり、このような評価が客観的に行われてインジケーター１００に表示された情報がかなりの価値を有するものであると複数のユーザーに検証された場合、後述するプライオリティ選定モジュール１７０により最上位に当該インジケーター１００が露出されるようにできる。
マルチレベル生成モジュール１６０は、前記情報共有モジュール２１０を介して複数のユーザーが同じウェブページ４０を閲覧している場合などにおいて、第１のユーザーが表示したインジケーター１００の上に他のインジケーター１００を収録できるように、すなわち、インジケーター１００を複数の層に積層処理できるようにする。
本発明によるマルチレベル生成モジュール１６０及びプライオリティ選定モジュール１７０は、本発明によるインジケーター１００の動的具現を提供する核心的な構成要素である。
すなわち、既存のウェブページ生成作業においては、ＨＴＭＬタグを使用することにより製作された画面や文書が２次元的に固定されて、メニューに提供された写真、文書などのコンテンツを再構成するためには、ウェブデザイナーやプログラマーがローカルコンピューターにおいてイメージなどの変換作業を再処理した後、ウェブサーバーにアップロードしたり公知のホームページ製作ウィザードプログラムを用いて作業をすることになっているが、この場合、ホームページ製作ウィザードはウェブデザインの知識を持たない一般ユーザーが活用するには多くの難点があるため、本発明によるマルチレベル生成モジュール１６０及びプライオリティ選定モジュール１７０は、インジケーター１００をＤＨＴＭＬ（ダイナミックＨＴＭＬ）のレイヤーとドラッグアンドドロップ方式を活用することを基盤としてより動的にインジケーター１００の積層実現及び積層順位変更を容易に行うことができるだけではなく、便利な作業インターフェース環境を提供する役割を果たす。
ＤＨＴＭＬは、４世代ブラウザーの背景機能を組み合わせて使用するために、ＨＴＭＬとジャバスクリプトとの組合体よりなってウェブページを動的に変換するものとして用いられている。
図９は、本発明によるマルチレベル生成モジュール１６０を介して多数のインジケーター１００が積層された状態を示す概念図である。
図９Ａを参照すると、マルチレベル生成モジュール１６０は、既存のＨＴＭＬにより作成されたウェブページが２次元的な平面状態に構成されて各コンテンツ構成要素のプライオリティ及び重なり合い設定をリアルタイムにて適用することができないという限界を克服するために、第１のユーザーが既に表示したインジケーター１００の上に他の第２及び第３などのユーザーが別途のインジケーター１００を重なり合わせて生成しようとするとき、これをマルチレベルに構成する機能を行う。マルチレベルに構成されたインジケーター１００は３次元的に形成されてＸ、Ｙ軸に移動自在であり、各インジケーター１００がＺ軸に移動できるようにし、このような根拠によって最外郭に露出されるインジケーター１００の順序及び積層順序を任意に設定することができるハンドラー６３をツールバー６０に埋め込んでこのようなハンドラー６３の操作によりインジケーター１００の露出順位を任意に決定できるようにする。
このような積層順序はシステムサーバー３０を介してインジケーターデータベース１４０をアップグレードすることにより新たに記憶可能であり、一応最初にインジケーター１００を設定したユーザーに露出順位を決定できるようにする権限を付与することもいくらでも可能である。
また、多数の半透明インジケーター１００が積層されている場合、インジケーター１００の内部の文字が重なり合って表示されてむしろ混同を引き起こす恐れがあったため、これを防止するために、分類子１１０を別途の空間に押し付け、空間においては積層順序別にそれぞれの分類子１１０を表示するようにし、表示子１２０に相当する部位は最上の内容だけを確認できるように不透明に処理することができる。
また、図９Ｂ及び図９Ｃに示すように、マルチレベル生成モジュール１６０は、同じサイズを有するインジケーター１００を整合させて重なり合い処理を行うことができるか、あるいは、重なり合っている回数を確認できるように視覚的に表示することができる方式を取ることができ、重なり合っているインジケーター１００の回数をインジケーター１００周縁部に表示することができる。
プライオリティ選定モジュール１７０は、前記マルチレベル生成モジュール１６０によりインジケーター１００の露出順序を調節することができるという点に加えて、もし、当該ウェブページ４０において自分が記録したインジケーター１００がある場合、当該会員のクライアントサーバー２０に伝送されたインジケーターデータベース１４０においては前記マルチレベル生成モジュール１６０による基本的な露出順位を無視し、自分が作成したインジケーター１００が最優先的に上位に露出できるようにする機能を提供することができ、それとも、ハンドラー６３を介してこのようなハンドラー６３の条件設定機能により読み込まれた回数が多いインジケーター１００や前記評価モジュール２２０により推薦回数が多いインジケーター１００、客観的な情報として価値があるインジケーター１００を最上位に露出できるようにユーザーが自ら選定することも可能である。
インジケーター１００のこのような複数積層及び順位決定並びに評価により同じ１枚のウェブページ４０の情報であるとしても、様々なユーザーの検証を受けて特定の情報としての価値があるかどうかを確認することができるが、もし、多い回数のインジケーター１００が特定のウェブページ４０の部位にのみ積層されるか、あるいは、所定の時間が経過しても、あまりにも少な過ぎるインジケーター１００のみが積層されている場合にはこのような情報の量によって情報の価値を優先的に評価処理して迅速に情報としての価値を判断できるようにする手段の必要性が提起される。
このために、本発明によるシステム１０は、積層回数管理モジュール１８０と生成時間管理モジュール１９０というインジケーター１００の基本的な性質を管理可能な機能を有するモジュールを備えている。
図２及び図３に戻ると、先ず、積層回数管理モジュール１８０は、特定のウェブページ４０のコンテンツ内容に表示されているインジケーター１００の回数をカウントして、所定の回数以上に積層されていることを色合いを通じて識別する機能を提供する。すなわち、多数のユーザーがインジケーター１００を表示したということは、その分重要であるか、または、クリティカルな内容を収録しているということが容易に分かるが、このような積層回数を特定の色合いにて表示して容易に識別可能にしたのである。例えば、５回以上の積層回数を示すインジケーター１００は緑色、１０回以上の積層回数を示すインジケーター１００は青色、５０回以上の積層回数を示すインジケーター１００は赤色にて表示されるように、積層回数によってインジケーター１００の色合いが変色されるようにする役割を果たす。
また、生成時間管理モジュール１９０は、例えば、５回以下のインジケーター１００が特定のウェブページコンテンツに収録されているが、５回以上にインジケーター１００が増えずに１０日以上経過してもインジケーター１００の積層回数に変化がないならば、このような情報はその分ユーザーの関心を引くことができなかったという意味であるため、時間が経過するに伴い次第にインジケーター１００のレイアウトがかすかになるように表示する。
すなわち、例えば、大衆の関心を引く情報の場合、多数の人の関心度が反映されなければ、その情報の価値が相対的に高いと評価される基準とすることができないが、このような特定の情報において意外に関心を引けなかったインジケーター１００の場合、その分の価値がないと予測可能であるため、所定の時間が経過すると、インジケーター１００そのものが次第にかすかになって消える機能を提供するのである。
このような管理モジュール１８０、１９０は、複数のユーザーの関心度及び参与度が反映されたインジケーター１００の状態を容易に確認できるようにして、短い時間に多数の情報を検索する場合に特に有用な役割を果たすことができる。
本発明による広告表示モジュール２００は、検索エンジン２０１と広告データベース２０２、表示部２０３を備えているものであって、インジケーター１００の内容、例えば、タイトルの機能をする分類子１１０や検索語表示子１２１、カテゴリー表示子１２３と連関する広告をインジケーター１００の一側やインジケーター１００の周縁部にバナー状に広告表示をする機能を行う。
具体的に、検索エンジン２０１は、インジケーター１００の分類子１１０などと関連付けされる連関語を検索する役割を果たし、広告データベース２０２は様々なコンセプトを有する広告内容を収録したデータベースであり、表示部２０３は、検索エンジン２０１において検索した連関語と選別された広告データベース２０２とを紐付けして関連広告を索出した後、インジケーター１００や周縁部に位置するバナーに索出された広告をディスプレイする役割を果たす。
このような広告表示モジュール２００により、システム運営者は、広告収益を保証するだけではなく、特に、物件を購買しようとする意思をもったユーザーが商品情報を検索する場合には広告そのものが別の情報として位置付けられるという特性を提供することができる。
図１０は、本発明による広告表示モジュール２００によりインジケーター１００に広告が実現された状態を示す例示図である。
図１０に示すように、広告表示モジュール２００により提供される広告は、インジケーター１００の内部の一角に位置してディスプレイが行われるようにでき、上述したように、インジケーター１００の外周に、すなわち、一角部に設けられた空間にバナー広告の形で広告表示されるようにすることももちろん可能である。
以上、本発明による自動車用ナビゲーションのハンドル装着装置の構成及び作用を前記説明及び図面に表現したが、これは、単なる例示に過ぎず、本発明の思想が前記説明及び図面に限定されることなく、本発明の技術的な思想から逸脱しない範囲内において種々の変化及び変更が可能であることはいうまでもない。
【符号の説明】
【０００８】
１０：本発明によるシステム、
１６０：マルチレベル生成モジュール、
２０：クライアントサーバー、
１７０：プライオリティ選定モジュール、
３０：システムサーバー、
１８０：積層回数管理モジュール、
６０：ツールバー、
１９０：生成時間管理モジュール、
１００：インジケーター、
２００：広告表示モジュール、
１１０：分類子、
２０１：検索エンジン、
１２０：表示子、
２０２：広告データベース、
１４０：インジケーターデータベース、
２１０：情報共有モジュール、
１５０：インジケーター生成モジュール、
【図１０】
2010507167.tif 000003
【図１】
2010507167.tif 000004
【図２】
2010507167.tif 000005
【図３】
2010507167.tif 000006
【図４】
2010507167.tif 000007
【図５】
2010507167.tif 000008
【図６】
2010507167.tif 000009
【図７】
2010507167.tif 000010
【図８】
2010507167.tif 000011
【図９】
2010507167.tif 000012
【国際調査報告】
2010507167.tif 000013
2010507167.tif 000014